(57)【要約】【課題】小型で明るく収差が良好に補正された撮像レンズ。【解決手段】固体撮像素子の光電変換部に被写体像を結像させるための撮像レンズであって、物体側より順に、正の屈折力を有する前群と、開口絞りと、負の屈折力を有する後群とからなり、前記前群は、負の屈折力を有する第１レンズと、正の屈折力を有する第２レンズをからなり、前記後群は、負の屈折力を有する第３レンズと、正の屈折力を有する第４レンズと、負の屈折力を有する第５レンズからなり、前記第５レンズの像側面は非球面からなり、中心では負の屈折力を有し、周辺に向かうに従い負の屈折力が弱くなるような変曲点を有すること。【選択図】図１
2010008562.tif 000002
【特許請求の範囲】
【請求項１】
固体撮像素子の光電変換部に被写体像を結像させるための撮像レンズであって、
物体側より順に、正の屈折力を有する前群と、開口絞りと、負の屈折力を有する後群とからなり、
前記前群は、負の屈折力を有する第１レンズと、正の屈折力を有する第２レンズとからなり、
前記後群は、負の屈折力を有する第３レンズと、正の屈折力を有する第４レンズと、負の屈折力を有する第５レンズとからなり、
前記第５レンズの像側面は非球面からなり、中心では負の屈折力を有し、周辺に向かうに従い負の屈折力が弱くなるような変曲点を有することを特徴とする撮像レンズ。
【請求項２】
前記後群は以下の条件式を満足することを特徴とする請求項１に記載の撮像レンズ。
−４０．０＜ｆＲ／ｆ＜−０．５
但し、
ｆＲ：前記後群の合成焦点距離
ｆ：前記撮像レンズ全系の焦点距離
【請求項３】
前記第２レンズは以下の条件式を満足することを特徴とする請求項１又は請求項２に記載の撮像レンズ。
−２．５＜（Ｒ３＋Ｒ４）／（Ｒ３−Ｒ４）＜−０．１
但し、
Ｒ３：第２レンズの物体側面の曲率半径
Ｒ４：第２レンズの像側面の曲率半径
【請求項４】
以下の条件式を満足することを特徴とする請求項１〜３の何れか１項に記載の撮像レンズ。
１０＜ν３＜３５
但し、
ν３：前記第３レンズのアッベ数
【請求項５】
前記第１レンズ及び前記第２レンズは、それぞれ少なくとも１面が非球面であることを特徴とする請求項１〜４の何れか１項に記載の撮像レンズ。
【発明の詳細な説明】
【技術分野】
【０００１】
本発明は、小型で明るい撮像レンズに関し、ＣＣＤ型イメージセンサ或いはＣＭＯＳ型イメージセンサ等の固体撮像素子を用いた撮像装置に好適である。
【背景技術】
【０００２】
近年、ＣＣＤ型イメージセンサやＣＭＯＳ型イメージセンサ等の固体撮像素子を用いた撮像装置が搭載された携帯端末の普及の増大に伴い、より高画質の画像が得られる撮像素子を使用した撮像装置が搭載されたものが市場に供給されるようになってきた。高画素数の撮像素子は大型化を伴っていたが、近年は画素の高細化が進み、撮像素子が小型化されるようになってきた。このような高細化された撮像素子に使用される撮像レンズは高い解像力が要求されるが、解像力はＦ値により限界があり、Ｆ値の小さい明るいレンズの方が高解像力を得られるため、従来のようにＦ２．８程度のＦ値では十分な性能が得られなくなってきた。そこで、高画素化、高細化、小型化された撮像素子に適したＦ２程度の明るさの撮像レンズが求められるようになってきた。このような用途の撮像レンズとしては、３枚或いは４枚構成のレンズに比べて大口径比化及び高性能化が可能である５枚構成の撮像レンズが提案されている。
【０００３】
５枚構成の撮像レンズとして、物体側より順に正または負の屈折力を有する第１レンズ、正の屈折力を有する第２レンズからなる前群、開口絞り、負の屈折力を有する第３レンズ、正の屈折力を有する第４レンズ、負または正の屈折力を有する第５レンズからなる後群で構成された撮像レンズが開示されている。（例えば、特許文献１〜３参照）
【特許文献１】特開２００７−２７９２８２号公報
【特許文献２】特開２００６−２９３０４２号公報
【特許文献３】特開２００７−３２２８４４号公報
【発明の開示】
【発明が解決しようとする課題】
【０００４】
しかしながら、上記特許文献１に記載の撮像レンズは、前群が球面系で構成されているためＦ２程度に明るくすると、球面収差やコマ収差の補正が不十分で良好な性能を確保できない。また、前群及び後群とも正の屈折力を有する構成のため、後群が負の屈折力を有するテレフォトタイプのような構成に比べ、光学系の主点位置が像側になり、バックフォーカスが長くなるため、小型化には不利なタイプである。
【０００５】
また、上記特許文献２に記載の撮像レンズは、Ｆ２程度の明るさを有しているが、第１レンズ及び第２レンズ共に正の屈折力を有する構成のため、前群での色補正が不十分である。更に、特許文献１と同様に前群及び後群とも正の屈折力を有する構成であると共に、最終レンズも正レンズであるため、小型化には不利なタイプである。
【０００６】
更に、上記特許文献３に記載の撮像レンズは、Ｆ２程度の明るさを有しているが、４枚構成であるため収差補正が不十分であり、高画素化に対応した撮像レンズに適しているとは言い難い。
【０００７】
本発明はかかる問題に鑑みてなされたものであり、小型でＦ２程度の十分な明るさを有し、諸収差が良好に補正された５枚構成の撮像レンズを提供することを発明の目的とする。
【課題を解決するための手段】
【０００８】
前記目的は、下記に記載した発明により達成される。
【０００９】
１．固体撮像素子の光電変換部に被写体像を結像させるための撮像レンズであって、
物体側より順に、正の屈折力を有する前群と、開口絞りと、負の屈折力を有する後群とからなり、
前記前群は、負の屈折力を有する第１レンズと、正の屈折力を有する第２レンズとからなり、
前記後群は、負の屈折力を有する第３レンズと、正の屈折力を有する第４レンズと、負の屈折力を有する第５レンズとからなり、
前記第５レンズの像側面は非球面からなり、中心では負の屈折力を有し、周辺に向かうに従い負の屈折力が弱くなるような変曲点を有することを特徴とする撮像レンズ。
【００１０】
２．前記後群は以下の条件式を満足することを特徴とする前記１に記載の撮像レンズ。
【００１１】
−４０．０＜ｆＲ／ｆ＜−０．５・・・（１）
但し、
ｆＲ：前記後群の合成焦点距離
ｆ：前記撮像レンズ全系の焦点距離
３．前記第２レンズは以下の条件式を満足することを特徴とする前記１又は前記２に記載の撮像レンズ。
【００１２】
−２．５＜（Ｒ３＋Ｒ４）／（Ｒ３−Ｒ４）＜−０．１・・・（２）
但し、
Ｒ３：第２レンズの物体側面の曲率半径
Ｒ４：第２レンズの像側面の曲率半径
４．以下の条件式を満足することを特徴とする前記１〜３の何れか１項に記載の撮像レンズ。
【００１３】
１０＜ν３＜３５・・・（３）
但し、
ν３：前記第３レンズのアッベ数
５．前記第１レンズ及び前記第２レンズは、それぞれ少なくとも１面が非球面であることを特徴とする前記１〜４の何れか１項に記載の撮像レンズ。
【００１４】
ここで、小型の撮像レンズの尺度であるが、本発明では下式を満たすレベルの小型化を目指している。この範囲を満たすことで、撮像装置全体の小型軽量化が可能となる。
【００１５】
Ｌ／２Ｙ＜１．３・・・（４）
但し、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
なお、像側焦点とは撮像レンズに光軸と平行な平行光線が入射した場合の像点をいう。
【００１６】
また、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。
【発明の効果】
【００１７】
請求項１の効果
小型で明るく収差が良好に補正された撮像レンズを得るための本発明の基本構成は、物体側より順に、正の屈折力を有する前群と、開口絞りと、負の屈折力を有する後群とからなる。所謂テレフォトタイプのこのレンズ構成は撮像レンズ全長の小型化に有利な構成である。
【００１８】
開口絞りをレンズ内に配置する所謂インナー絞りにすると、コマ収差や倍率色収差、歪曲収差の補正が容易になるため良好な性能が得られるので、Ｆ２程度の明るい撮像レンズに適している。一方、固体撮像素子の撮像面に入射する光束の主光線入射角においては、前置絞りに較べると開口絞りが撮像面に近づくため、撮像面周辺部において主光線入射角を十分に小さくすることが難しくなるため不利となる。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部に向かうに従い各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができるため、主光線入射角に対する要求は緩和されるようになってきた。
【００１９】
前記前群は、負の屈折力を有する第１レンズと、正の屈折力を有する第２レンズとからなる。このような最も物体側に負レンズが配置されたタイプは、比較的広角な光学系に適しており、諸収差の補正に有利である。また、負レンズと正レンズを組み合わせることにより、色収差の補正も容易になる。
【００２０】
前記後群は、負の屈折力を有する第３レンズと、正の屈折力を有する第４レンズと、負の屈折力を有する第５レンズからなり、第５レンズの像側面は非球面とされ、中心では負の屈折力を有し、周辺に向かうに従い負の屈折力が弱くなる変曲点を有する。前群の負正に続き負正負と配置されるので、レンズ全系では対称的な構成になり、Ｆ２程度までの明るい撮像レンズであっても、画面周辺部まで良好な結像性能を確保した撮像レンズを得ることが可能となる。また、最も像側に配置された第５レンズの像側面を非球面とすることで、画面周辺部での諸収差を良好に補正することができる。更に、光軸から周辺に向かうに従って負の屈折力が弱くなり、また変曲点を有する非球面形状とすることで、像側光束の主光線入射角特性が確保し易くなる。
【００２１】
ここで、「変曲点」とは有効半径内でのレンズ断面形状の曲線において、非球面頂点の接平面が光軸と垂直な平面となるような非球面上の点のことである。
【００２２】
請求項２の効果
条件式（１）は後群の合成焦点距離を適切に設定し、撮像レンズ全長の短縮化と収差補正を適切に達成するための条件式である。条件式（１）の値が下限を上回ることで、後群の負の合成焦点距離を適度に維持することができ、レンズ全長の短縮化を達成することができる。一方、上限を下回ることで、後群の負の合成焦点距離が小さくなり過ぎず、高次の球面収差やコマ収差の発生を抑えることができる。
【００２３】
また、より望ましくは下式の範囲がよい。
【００２４】
−２０．０＜ｆＲ／ｆ＜−０．８・・・（１’）
更に望ましくは下式の範囲がよい。
−１０．０＜ｆＲ／ｆ＜−０．９５・・・（１”）
請求項３の効果
条件式（２）は第２レンズの形状を適切に設定するための条件式である。条件式の範囲内で、第２レンズは物体側面の方が像側面より強い正の屈折力を有する形状となる。本発明の撮像レンズは、開口絞りが第２レンズの後方に配置され、しかもＦ２程度と明るい撮像レンズであるため、第２レンズの形状を条件式の範囲に設定することで、コマ収差や色収差の発生を小さく抑えている。条件式（２）の値が下限を上回ることで、前記第２レンズの物体側面の正の屈折力が強くなり過ぎるのを抑え、バランスよく収差を補正できる。また、物体側面の曲率半径が小さくなり過ぎず、レンズ加工上問題のない形状となる。一方、上限を下回ることで、第２レンズの物体側面の正の屈折力を適度に強くすることができ、球面収差、コマ収差の補正を容易にする。
【００２５】
また、より望ましくは下式の範囲がよい。
【００２６】
−２．０＜（Ｒ３＋Ｒ４）／（Ｒ３−Ｒ４）＜−０．３・・・（２’）
更に望ましくは下式の範囲がよい。
【００２７】
−１．５＜（Ｒ３＋Ｒ４）／（Ｒ３−Ｒ４）＜−０．５・・・（２”）
請求項４の効果
条件式（３）は第３レンズのアッベ数を適切に設定し、色収差を良好に補正するための条件式である。条件式（３）の値が下限を上回ることで、軸上色収差が補正不足になるのを抑えながら、周辺光束で発生する倍率色収差を小さく抑えることができる。一方、上限を下回ることで、軸上色収差が補正過剰になるのを抑えながら、倍率色収差を小さく抑えることができる。
【００２８】
また、より望ましくは下式の範囲がよい。
【００２９】
１７＜ν３＜３１・・・（３’）
更に望ましくは下式の範囲がよい。
【００３０】
２１＜ν３＜３１・・・（３”）
請求項５の効果
第１レンズ及び第２レンズの少なくとも１面を非球面とすることで球面収差、コマ収差、像面湾曲を良好に補正することができる。
【実施例】
【００３１】
以下に本発明の撮像レンズの実施例を示す。各実施例に使用する記号は下記の通りである。
ｆ：撮像レンズ全系の焦点距離
ｆＢ：バックフォーカス
Ｆ：Ｆナンバー
２Ｙ：固体撮像素子の撮像面対角線長
ＥＮＴＰ：入射瞳位置（第１面から入射瞳位置までの距離）
ＥＸＴＰ：射出瞳位置（撮像面から射出瞳位置までの距離）
Ｈ１：前側主点位置（第１面から前側主点位置までの距離）
Ｈ２：後側主点位置（最終面から後側主点位置までの距離）
Ｒ：曲率半径
Ｄ：軸上面間隔
Ｎｄ：レンズ材料のｄ線に対する屈折率
νｄ：レンズ材料のアッベ数
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００３２】
【数１】
2010008562.tif 000003
【００３３】
但し、
Ａｉ：ｉ次の非球面係数
Ｒ：曲率半径
Ｋ：円錐定数
また、非球面係数において、１０のべき乗数（例えば２．５×１０−０２）をＥ（例えば２．５Ｅ−０２）を用いて表すものとする。
（実施例１）
全体諸元を以下に示す。
【００３４】
ｆ＝５．４４ｍｍ
ｆＢ＝０．３２ｍｍ
Ｆ＝２．０
２Ｙ＝７．０ｍｍ
ＥＮＴＰ＝１．１８ｍｍ
ＥＸＴＰ＝−３．２１ｍｍ
Ｈ１＝−１．７４ｍｍ
Ｈ２＝−５．１１ｍｍ
面データを以下に示す。
面番号        Ｒ(mm)      Ｄ(mm)      Ｎｄ      νｄ    有効半径(mm)
１＊        17.351       0.45      1.6320      23        2.02
２＊         7.411       0.05                            1.78
３＊         2.509       1.13      1.5447      56        1.63
４＊       -19.608       0.00                            1.37
５（絞り）    ∞         1.00                            1.24
６＊        -3.928       0.46      1.6030      28        1.40
７＊       -46.695       0.30                            1.65
８＊         8.170       1.81      1.5305      56        1.95
９＊        -1.667       0.57                            2.20
10＊        -4.119      0.48      1.5305      56        2.31
11＊         1.943      0.80                            3.06
12            ∞         0.15      1.5163      64        3.32
13            ∞                                         3.58
なお、全てのレンズはプラスチック材料から形成されている。
【００３５】
非球面係数を以下に示す。
第１面
K=-0.30000E+02,A4=-0.16466E-02,A6=-0.56363E-03,A8=0.26271E-04,A10=0.21387E-04,
A12=0.16094E-05
第２面
K=0.13850E+02,A4=-0.84503E-02,A6=-0.31554E-03,A8=-0.19350E-03,A10=0.51658E-04,
第３面
K=-0.28489E+00,A4=-0.26326E-02,A6=-0.76963E-05,A8=0.35438E-03,A10=-0.19408E-03
第４面
K=0.13840E+02,A4=-0.21938E-02,A6=-0.72259E-03,A8=-0.61739E-03
第６面
K=0.45580E+01,A4=-0.11107E-01,A6=0.15607E-02,A8=0.15618E-02
第７面
K=-0.30000E+02,A4=-0.23128E-01,A6=0.40359E-02,A8=0.21317E-02,A10=-0.26243E-03
第８面
K=-0.19849E+02,A4=-0.17331E-01,A6=-0.10123E-02,A8=0.67549E-03,A10=-0.17517E-04
第９面
K=-0.41227E+01,A4=-0.26815E-01,A6=0.27971E-02,A8=-0.26877E-03,
A10=-0.42401E-04,A12=0.76854E-05
第１０面
K=0.15827E+01,A4=-0.31906E-01,A6=0.61538E-02,A8=0.22896E-03,A10=-0.19588E-03,
A12=0.19638E-04
第１１面
K=-0.89764E+01,A4=-0.22094E-01,A6=0.45066E-02,A8=-0.53228E-03,A10=0.27132E-04,
A12=-0.45518E-06
単レンズデータを以下に示す。
レンズ    始面    焦点距離(mm)
１       1        -20.83
２       3          4.16
３       6         -7.14
４       8          2.79
５      10         -2.42
各条件式に対応する値を以下に示す。
【００３６】
ｆＲ／ｆ＝−２．２２
（Ｒ３＋Ｒ４）／（Ｒ３−Ｒ４）＝−０．７７
ν３＝２８
Ｌ／２Ｙ＝１．０７
図１は実施例１の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２は実施例１の撮像レンズの収差図（球面収差、非点収差、歪曲収差）である。
（実施例２）
全体諸元を以下に示す。
【００３７】
ｆ＝５．４２ｍｍ
ｆＢ＝０．３０ｍｍ
Ｆ＝２．０
２Ｙ＝７．０ｍｍ
ＥＮＴＰ＝１．１５ｍｍ
ＥＸＴＰ＝−３．２４ｍｍ
Ｈ１＝−１．７２ｍｍ
Ｈ２＝−５．１２ｍｍ
面データを以下に示す。
面番号        Ｒ(mm)      Ｄ(mm)      Ｎｄ      νｄ    有効半径(mm)
１＊        17.432       0.45      1.6142      26        1.98
２＊         7.660       0.05                            1.75
３＊         2.648       1.10      1.5447      56        1.60
４＊       -15.524       0.00                            1.35
５（絞り）    ∞         0.99                            1.25
６＊        -4.058       0.45      1.6320      23        1.40
７＊       -24.237       0.39                            1.62
８＊         8.200       1.75      1.5305      56        1.96
９＊        -1.810       0.63                            2.20
10＊        -4.288      0.45      1.5305      56        2.30
11＊         2.049      0.80                            3.04
12            ∞         0.15      1.5163      64        3.32
13            ∞                                         3.36
なお、全てのレンズはプラスチック材料から形成されている。
【００３８】
非球面係数を以下に示す。
第１面
K=-0.30000E+02,A4=-0.32372E-02,A6=-0.62015E-03,A8=0.11982E-03,A10=0.21368E-04,
A12=-0.17127E-05
第２面
K=0.14100E+02,A4=-0.86882E-02,A6=-0.57728E-03,A8=0.33017E-04,A10=0.54213E-04
第３面
K=-0.23670E+00,A4=-0.18450E-02,A6=-0.16617E-03,A8=0.49232E-04,A10=-0.34984E-04
第４面
K=-0.18109E+01,A4=-0.19032E-02,A6=-0.18117E-02,A8=-0.49238E-04
第６面
K=0.47998E+01,A4=-0.13162E-01,A6=0.47821E-02,A8=0.13506E-02
第７面
K=0.30000E+02,A4=-0.23962E-01,A6=0.55036E-02,A8=0.19761E-02,A10=-0.29862E-03
第８面
K=-0.10978E+02,A4=-0.16919E-01,A6=-0.15537E-02,A8=0.51977E-03,A10=0.10417E-04
第９面
K=-0.46825E+01,A4=-0.27854E-01,A6=0.27813E-02,A8=-0.34763E-03,
A10=-0.45089E-04,A12=0.10352E-04
第１０面
K=0.18431E+01,A4=-0.39967E-01,A6=0.69407E-02,A8=0.28098E-03,A10=-0.22219E-03,
A12=0.22921E-04
第１１面
K=-0.89217E+01,A4=-0.25260E-01,A6=0.51634E-02,A8=-0.60339E-03,A10=0.29845E-04,
A12=-0.42542E-06
単レンズデータを以下に示す。
レンズ    始面    焦点距離(mm)
１       1        -22.65
２       3          4.24
３       6         -7.78
４       8          2.98
５      10         -2.55
各条件式に対応する値を以下に示す。
【００３９】
ｆＲ／ｆ＝−２．２５
（Ｒ３＋Ｒ４）／（Ｒ３−Ｒ４）＝−０．７１
ν３＝２３
Ｌ／２Ｙ＝１．０６
図３は実施例２の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図４は実施例２の撮像レンズの収差図（球面収差、非点収差、歪曲収差）である。
（実施例３）
全体諸元を以下に示す。
【００４０】
ｆ＝５．４４ｍｍ
ｆＢ＝０．６３ｍｍ
Ｆ＝２．０
２Ｙ＝７．０ｍｍ
ＥＮＴＰ＝１．２０ｍｍ
ＥＸＴＰ＝−２．７３ｍｍ
Ｈ１＝−２．１６ｍｍ
Ｈ２＝−４．８１ｍｍ
面データを以下に示す。
面番号        Ｒ(mm)      Ｄ(mm)      Ｎｄ      νｄ    有効半径(mm)
１＊        16.923       0.45      1.6320      23        2.00
２＊         7.286       0.05                            1.75
３＊         2.398       1.15      1.5447      56        1.59
４＊       -20.377       0.00                            1.33
５（絞り）    ∞         0.99                            1.24
６＊        -4.025       0.45      1.6142      26        1.37
７＊       -24.086       0.26                            1.58
８＊         8.356       1.65      1.5305      56        1.83
９＊        -1.733       0.51                            2.08
10＊        -3.204      0.45      1.5305      56        2.17
11＊         2.141      0.50                            2.95
12            ∞         0.15      1.5163      64        3.17
13            ∞                                         3.21
なお、全てのレンズはプラスチック材料から形成されている。
【００４１】
非球面係数を以下に示す。
第１面
K=-0.30000E+02,A4=-0.17711E-02,A6=-0.46788E-03,A8=0.56856E-04,A10=0.23999E-04,
A12=0.11117E-05
第２面
K=0.13860E+02,A4=-0.83775E-02,A6=-0.17611E-03,A8=-0.17655E-03,A10=0.54364E-04
第３面
K=-0.29270E+00,A4=-0.26523E-02,A6=-0.78929E-04,A8=0.34655E-03,A10=-0.22696E-03
第４面
K=0.19199E+02,A4=-0.21644E-02,A6=-0.91811E-03,A8=-0.70006E-03
第６面
K=0.51041E+01,A4=-0.91319E-02,A6=0.20709E-02,A8=0.19066E-02
第７面
K=0.30000E+02,A4=-0.25299E-01,A6=0.45398E-02,A8=0.25337E-02,A10=-0.17185E-03
第８面
K=-0.29708E+02,A4=-0.19579E-01,A6=-0.13202E-02,A8=0.58218E-03,A10=0.49736E-04
第９面
K=-0.46656E+01,A4=-0.26195E-01,A6=0.21594E-02,A8=-0.39502E-03,
A10=-0.23700E-04,A12=0.89270E-05
第１０面
K=0.12585E+00,A4=-0.32774E-01,A6=0.55432E-02,A8=0.88693E-04,A10=-0.22227E-03,  A12=0.28456E-04
第１１面
K=-0.12422E+02,A4=-0.22960E-01,A6=0.46849E-02,A8=-0.59561E-03,A10=0.30363E-04,
A12=-0.34886E-06
単レンズデータを以下に示す。
レンズ    始面    焦点距離(mm)
１       1        -20.62
２       3          4.01
３       6         -7.94
４       8          2.87
５      10         -2.35
各条件式に対応する値を以下に示す。
【００４２】
ｆＲ／ｆ＝−１．６８
（Ｒ３＋Ｒ４）／（Ｒ３−Ｒ４）＝−０．７９
ν３＝２６
Ｌ／２Ｙ＝１．０２
図５は実施例３の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図６は実施例３の撮像レンズの収差図（球面収差、非点収差、歪曲収差）である。
（実施例４）
全体諸元を以下に示す。
【００４３】
ｆ＝５．４６ｍｍ
ｆＢ＝０．６１ｍｍ
Ｆ＝２．０
２Ｙ＝７．０ｍｍ
ＥＮＴＰ＝１．２５ｍｍ
ＥＸＴＰ＝−２．３６ｍｍ
Ｈ１＝−３．３５ｍｍ
Ｈ２＝−４．８５ｍｍ
面データを以下に示す。
面番号        Ｒ(mm)      Ｄ(mm)      Ｎｄ      νｄ    有効半径(mm)
１＊        15.213       0.50      1.6320      23        2.04
２＊         6.990       0.05                            1.72
３＊         2.095       1.10      1.5447      56        1.56
４＊       -61.868       0.02                            1.33
５（絞り）    ∞         1.08                            1.25
６＊        -4.070       0.50      1.6320      23        1.32
７＊        -7.985       0.24                            1.52
８＊        18.697       0.86      1.5447      56        1.72
９＊        -2.211       0.43                            1.98
10＊        -3.459      0.50      1.5305      56        2.08
11＊         2.011      0.50                            2.77
12            ∞         0.15      1.5163      64        3.09
13            ∞                                         3.13
なお、全てのレンズはプラスチック材料から形成されている。
【００４４】
非球面係数を以下に示す。
第１面
K=-0.17124E+02,A4=-0.19458E-02,A6=-0.44793E-03,A8=0.21563E-03,A10=0.21072E-04,
A12=0.23917E-06
第２面
K=0.13915E+02,A4=-0.81598E-02,A6=0.81564E-04,A8=-0.43635E-04,A10=0.73839E-04
第３面
K=-0.29675E+00,A4=-0.25158E-02,A6=0.58812E-03,A8=0.37572E-03,A10=-0.29406E-03
第４面
K=-0.30000E+02,A4=-0.95539E-03,A6=-0.16207E-02,A8=-0.68290E-03
第６面
K=0.68605E+01,A4=-0.13656E-01,A6=0.22698E-02,A8=0.30218E-02
第７面
K=0.21995E+02,A4=-0.30802E-01,A6=0.42659E-02,A8=0.36050E-02,A10=0.74499E-03
第８面
K=0.30000E+02,A4=-0.26939E-01,A6=-0.28093E-02,A8=0.58006E-03,A10=0.17610E-03
第９面
K=-0.11136E+02,A4=-0.14065E-01,A6=0.35956E-02,A8=-0.37378E-03,
A10=-0.44465E-04,A12=0.95699E-05
第１０面
K=0.10815E+00,A4=-0.29406E-01,A6=0.72814E-02,A8=0.90923E-05,A10=-0.22210E-03,
A12=0.30612E-04
第１１面
K=-0.19106E+02,A4=-0.21402E-01,A6=0.41184E-02,A8=-0.62693E-03,A10=0.38748E-04,
A12=-0.87975E-06
単レンズデータを以下に示す。
レンズ    始面    焦点距離(mm)
１       1        -20.96
２       3          3.74
３       6        -13.82
４       8          3.68
５      10         -2.32
各条件式に対応する値を以下に示す。
【００４５】
ｆＲ／ｆ＝−１．０２
（Ｒ３＋Ｒ４）／（Ｒ３−Ｒ４）＝−０．９３
ν３＝２３
Ｌ／２Ｙ＝０．９３
図７は実施例４の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図８は実施例４の撮像レンズの収差図（球面収差、非点収差、歪曲収差）である。
（実施例５）
全体諸元を以下に示す。
【００４６】
ｆ＝５．８６ｍｍ
ｆＢ＝０．７９ｍｍ
Ｆ＝２．０
２Ｙ＝７．０ｍｍ
ＥＮＴＰ＝１．５９ｍｍ
ＥＸＴＰ＝−３．５１ｍｍ
Ｈ１＝−０．５５ｍｍ
Ｈ２＝−５．０７４ｍｍ
面データを以下に示す。
面番号        Ｒ(mm)      Ｄ(mm)      Ｎｄ      νｄ    有効半径(mm)
１＊        10.495       0.57      1.5830      30        2.04
２＊         5.014       0.05                            1.72
３＊         2.491       1.41      1.5891      61        1.56
４＊       -33.673       0.05                            1.33
５（絞り）    ∞         1.36                            1.28
６＊        -2.049       0.50      1.6320      23        1.32
７＊        -2.675       0.11                            1.52
８＊        -6.311       1.10      1.5447      56        1.72
９＊        -1.362       0.29                            1.98
10＊        -4.226      0.63      1.5305      56        2.08
11＊         2.204      0.80                            2.77
12            ∞         0.15      1.5163      64        3.09
13            ∞                                         3.13
なお、第１レンズ、第３レンズ、第４レンズ、及び第５レンズはプラスチック材料から形成され、第２レンズはガラス材料から形成されている。
【００４７】
非球面係数を以下に示す。
第１面
K=0.14255E+02
第２面
K=0.55655E+01,A4=-0.15414E-02,A6=0.54643E-03,A8=-0.22362E-04,A10=-0.13852E-04
第３面
K=-0.17446E+00,A4=-0.27014E-02,A6=0.11305E-02,A8=-0.23933E-03,A10=-0.35301E-04
第４面
K=0.26748E+02,A4=-0.51658E-02,A6=-0.12500E-02,A8=-0.14038E-03
第６面
K=0.51888E+00,A4=0.18990E-01,A6=0.11730E-02,A8=0.23092E-02
第７面
K=-0.39105E+01
第８面
K=0.10559E+02
第９面
K=-0.32120E+01,A4=-0.12388E-01,A6=0.12736E-02,A8=0.15303E-04,A10=0.26358E-03,
A12=-0.41524E-04
第１０面
K=-0.23294E+02,A4=-0.13624E-02,A6=-0.35303E-03,A8=0.30369E-03,
A10=-0.36927E-04,A12=0.13238E-05
第１１面
K=-0.11436E+02,A4=-0.16072E-01,A6=0.27815E-02,A8=-0.46962E-03,A10=0.38148E-04,
A12=-0.11995E-05
単レンズデータを以下に示す。
レンズ    始面    焦点距離(mm)
１       1        -17.12
２       3          3.99
３       6        -20.04
４       8          2.96
５      10         -2.64
各条件式に対応する値を以下に示す。
【００４８】
ｆＲ／ｆ＝−３．４２
（Ｒ３＋Ｒ４）／（Ｒ３−Ｒ４）＝−０．８６
ν３＝２３
Ｌ／２Ｙ＝１．１１
図９は実施例５の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１０は実施例５の撮像レンズの収差図（球面収差、非点収差、歪曲収差）である。
（実施例６）
全体諸元を以下に示す。
【００４９】
ｆ＝５．２３ｍｍ
ｆＢ＝０．４７ｍｍ
Ｆ＝２．０
２Ｙ＝７．０ｍｍ
ＥＮＴＰ＝１．１６ｍｍ
ＥＸＴＰ＝−３．５２ｍｍ
Ｈ１＝−０．４６ｍｍ
Ｈ２＝−４．７６ｍｍ
面データを以下に示す。
面番号        Ｒ(mm)      Ｄ(mm)      Ｎｄ      νｄ    有効半径(mm)
１＊        -6.569       0.50      1.6320      23        2.06
２＊        -9.999       0.10                            1.85
３＊         2.788       1.11      1.5447      56        1.62
４＊       -13.533       0.01                            1.39
５（絞り）    ∞         1.07                            1.24
６＊        -2.971       0.50      1.6320      23        1.38
７＊       -11.651       0.27                            1.65
８＊        19.364       1.69      1.5447      56        1.87
９＊        -1.656       0.47                            2.14
10＊       -14.443      0.69      1.5305      56        2.37
11＊         1.738      0.80                            3.07
12            ∞         0.15      1.5163      64        3.29
13            ∞                                         3.32
なお、全てのレンズはプラスチック材料から形成されている。
【００５０】
非球面係数を以下に示す。
第１面
K=0.11986E+00,A4=0.62640E-02,A6=-0.33445E-03,A8=0.22440E-03,A10=-0.27940E-04
第２面
K=-0.25060E+02,A4=0.35837E-02,A6=0.15339E-02,A8=-0.67854E-04,A10=0.49512E-04
第３面
K=-0.33966E+00,A4=-0.76910E-03,A6=0.99873E-04,A8=0.23948E-03,A10=-0.59334E-04
第４面
K=0.19334E+02,A4=-0.66951E-02,A6=-0.76022E-03,A8=0.21538E-03
第６面
K=0.14750E+01,A4=-0.25539E-02,A6=0.38182E-02,A8=0.79003E-03
第７面
K=0.22515E+00,A4=-0.68390E-02,A6=0.34864E-02,A8=0.82698E-03,A10=-0.53246E-04
第８面
K=-0.30000E+02,A4=-0.12255E-01,A6=-0.19875E-02,A8=-0.14183E-03,A10=0.17788E-03
第９面
K=-0.38675E+01,A4=-0.25298E-01,A6=0.22956E-02,A8=-0.27654E-03,
A10=-0.89154E-04,A12=0.19818E-04
第１０面
K=0.29634E+02,A4=-0.33735E-01,A6=0.24041E-02,A8=0.40277E-03,A10=-0.60281E-04,
A12=0.22635E-05
第１１面
K=-0.60191E+01,A4=-0.21593E-01,A6=0.34086E-02,A8=-0.37218E-03,A10=0.18327E-04,
A12=-0.30779E-06
単レンズデータを以下に示す。
レンズ    始面    焦点距離(mm)
１       1        -32.11
２       3          4.35
３       6         -6.46
４       8          2.88
５      10         -2.88
各条件式に対応する値を以下に示す。
【００５１】
ｆＲ／ｆ＝−３．１４
（Ｒ３＋Ｒ４）／（Ｒ３−Ｒ４）＝−０．６６
ν３＝２３
Ｌ／２Ｙ＝１．１１
図１１は実施例６の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１２は実施例６の撮像レンズの収差図（球面収差、非点収差、歪曲収差）である。
（実施例７）
全体諸元を以下に示す。
【００５２】
ｆ＝５．４４ｍｍ
ｆＢ＝０．３２ｍｍ
Ｆ＝２．０
２Ｙ＝７．０ｍｍ
ＥＮＴＰ＝１．２０ｍｍ
ＥＸＴＰ＝−３．１４ｍｍ
Ｈ１＝−１．９１ｍｍ
Ｈ２＝−５．１２ｍｍ
面データを以下に示す。
面番号        Ｒ(mm)      Ｄ(mm)      Ｎｄ      νｄ    有効半径(mm)
１＊        17.867       0.45      1.6320      23        2.01
２＊         7.227       0.05                            1.77
３＊         2.550       1.17      1.5447      56        1.62
４＊       -14.482       0.00                            1.36
５（絞り）    ∞         0.98                            1.25
６＊        -4.171       0.45      1.5830      30        1.39
７＊        20.259       0.19                            1.66
８＊         5.387       1.93      1.5305      56        1.94
９＊        -1.755       0.58                            2.19
10＊        -4.499      0.45      1.5305      56        2.26
11＊         1.909      0.80                            3.01
12            ∞         0.15      1.5163      64        3.29
13            ∞                                         3.33
なお、全てのレンズはプラスチック材料から形成されている。
【００５３】
非球面係数を以下に示す。
第１面
K=-0.30000E+02,A4=-0.28810E-02,A6=-0.45850E-03,A8=0.29999E-04,A10=0.23545E-04,
A12=0.13471E-05
第２面
K=0.13290E+02,A4=-0.86213E-02,A6=-0.44729E-03,A8=-0.16068E-03,A10=0.54063E-04
第３面
K=-0.26097E+00,A4=-0.20753E-02,A6=-0.28172E-03,A8=0.31024E-03,A10=-0.16683E-03
第４面
K=0.11649E+02,A4=-0.20322E-02,A6=-0.46770E-03,A8=-0.62843E-03
第６面
K=0.56380E+01,A4=-0.46641E-02,A6=0.15207E-02,A8=0.11166E-02
第７面
K=-0.30000E+02,A4=-0.23602E-01,A6=0.52180E-02,A8=0.21462E-02,A10=-0.40954E-03
第８面
K=-0.15217E+02,A4=-0.14108E-01,A6=-0.25871E-03,A8=0.66414E-03,A10=-0.50356E-04
第９面
K=-0.44938E+01,A4=-0.24379E-01,A6=0.23374E-02,A8=-0.35670E-03,
A10=-0.26460E-04,A12=0.76911E-05
第１０面
K=0.22613E+01,A4=-0.40262E-01,A6=0.57440E-02,A8=0.32103E-03,A10=-0.19798E-03,
A12=0.22924E-04
第１１面
K=-0.84714E+01,A4=-0.24689E-01,A6=0.49200E-02,A8=-0.58054E-03,A10=0.32252E-04,
A12=-0.63776E-06
単レンズデータを以下に示す。
レンズ    始面    焦点距離(mm)
１       1        -19.52
２       3          4.08
３       6         -5.89
４       8          2.75
５      10         -2.47
各条件式に対応する値を以下に示す。
【００５４】
ｆＲ／ｆ＝−１．９９
（Ｒ３＋Ｒ４）／（Ｒ３−Ｒ４）＝−０．７０
ν３＝３０
Ｌ／２Ｙ＝１．０７
図１３は実施例７の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１４は実施例７の撮像レンズの収差図（球面収差、非点収差、歪曲収差）である。
（実施例８）
全体諸元を以下に示す。
【００５５】
ｆ＝５．８５ｍｍ
ｆＢ＝０．８９ｍｍ
Ｆ＝２．０
２Ｙ＝７．０ｍｍ
ＥＮＴＰ＝１．４３ｍｍ
ＥＸＴＰ＝−４．３０ｍｍ
Ｈ１＝０．６９ｍｍ
Ｈ２＝−４．９６ｍｍ
面データを以下に示す。
面番号        Ｒ(mm)      Ｄ(mm)      Ｎｄ      νｄ    有効半径(mm)
１＊      -271.236       0.57      1.5830      30        2.07
２＊         8.445       0.05                            1.78
３＊         2.582       1.32      1.5447      56        1.69
４＊        -9.697       0.05                            1.45
５（絞り）    ∞         1.36                            1.35
６＊        -2.382       0.50      1.6320      23        1.40
７＊        -4.833       0.18                            1.75
８＊        -4.208       1.40      1.5447      56        1.82
９＊        -1.307       0.29                            2.10
10＊         8.479      0.76      1.5305      56        2.62
11＊         1.456      1.00                            3.09
12            ∞         0.15      1.5163      64        3.26
13            ∞                                         3.28
なお、全てのレンズはプラスチック材料から形成されている。
【００５６】
非球面係数を以下に示す。
第１面
K=-0.30000E+02
第２面
K=0.16041E+02,A4=-0.25794E-03,A6=0.77360E-03,A8=0.22255E-03,A10=-0.28741E-04
第３面
K=-0.97974E-01,A4=-0.17455E-02,A6=0.13739E-02,A8=-0.97528E-04,A10=0.16632E-04
第４面
K=0.23269E+02,A4=0.47123E-03,A6=-0.98322E-03,A8=0.56277E-03
第６面
K=0.10184E+01,A4=-0.95652E-02,A6=-0.36091E-02,A8=0.12371E-02
第７面
K=0.43606E+01
第８面
K=0.87418E+00
第９面
K=-0.29528E+01,A4=-0.29875E-01,A6=0.31243E-02,A8=0.79818E-04,A10=-0.10655E-03,  A12=0.24252E-04
第１０面
K=0.16621E+01,A4=-0.18259E-01,A6=0.11107E-02,A8=0.19527E-03,A10=-0.58802E-04,
A12=0.37476E-05
第１１面
K=-0.54766E+01,A4=-0.15117E-01,A6=0.18947E-02,A8=-0.19629E-03,A10=0.62020E-05,
A12=0.11902E-07
単レンズデータを以下に示す。
レンズ    始面    焦点距離(mm)
１       1        -14.04
２       3          3.89
３       6         -8.07
４       8          2.97
５      10         -3.44
各条件式に対応する値を以下に示す。
【００５７】
ｆＲ／ｆ＝−８．９８
（Ｒ３＋Ｒ４）／（Ｒ３−Ｒ４）＝−０．５８
ν３＝２３
Ｌ／２Ｙ＝１．２１
図１５は実施例８の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１６は実施例８の撮像レンズの収差図（球面収差、非点収差、歪曲収差）である。
（実施例９）
全体諸元を以下に示す。
【００５８】
ｆ＝５．４３ｍｍ
ｆＢ＝０．３４ｍｍ
Ｆ＝２．０
２Ｙ＝７．０ｍｍ
ＥＮＴＰ＝１．２４ｍｍ
ＥＸＴＰ＝−３．４４ｍｍ
Ｈ１＝−１．１３ｍｍ
Ｈ２＝−５．０９ｍｍ
面データを以下に示す。
面番号        Ｒ(mm)      Ｄ(mm)      Ｎｄ      νｄ    有効半径(mm)
１＊        -4.829       0.50      1.6320      23        2.24
２＊        -6.250       0.05                            2.01
３＊         2.589       1.15      1.5891      61        1.69
４＊        63.591       0.09                            1.39
５（絞り）    ∞         1.05                            1.25
６＊        -2.250       0.45      1.6320      23        1.38
７＊        -4.290       0.05                            1.62
８＊        11.847       1.79      1.5305      56        1.86
９＊        -2.112       0.70                            2.12
10＊        -2.983      0.50      1.5305      56        2.22
11＊         4.455      0.80                            2.88
12            ∞         0.15      1.5163      64        3.31
13            ∞                                         3.35
なお、第１レンズ、第３レンズ、第４レンズ、及び第５レンズはプラスチック材料から形成され、第２レンズはガラス材料から形成されている。
【００５９】
非球面係数を以下に示す。
第１面
K=-0.11076E+02,A4=0.11643E-02,A6=-0.64773E-04,A8=0.23256E-03,A10=-0.20578E-04
第２面
K=-0.21742E+02,A4=0.44960E-03,A6=0.12747E-02,A8=-0.15279E-04,A10=0.31372E-04
第３面
K=-0.16738E+00,A4=-0.23191E-02,A6=0.38229E-04,A8=0.49925E-04,A10=-0.85356E-05
第４面
K=-0.30000E+02,A4=-0.52536E-02,A6=-0.14603E-02,A8=0.24334E-03
第６面
K=0.73418E+00,A4=0.46666E-01,A6=-0.24465E-02,A8=0.15104E-02
第７面
K=-0.16225E+02,A4=0.10381E-01,A6=0.65653E-02,A8=0.10057E-02,A10=-0.42515E-03
第８面
K=-0.25291E+02,A4=-0.88590E-02,A6=0.33194E-03,A8=0.10049E-02,A10=-0.14210E-03
第９面
K=-0.45164E+01,A4=-0.31731E-01,A6=0.48904E-02,A8=-0.10048E-02,A10=0.58388E-04,
A12=0.64284E-05
第１０面
K=0.22314E+00,A4=-0.18194E-01,A6=0.14666E-02,A8=0.35449E-03,A10=-0.12423E-03,
A12=0.18039E-04
第１１面
K=-0.21120E+02,A4=-0.19672E-01,A6=0.30018E-02,A8=-0.36144E-03,A10=0.17066E-04,
A12=0.26735E-07
単レンズデータを以下に示す。
レンズ    始面    焦点距離(mm)
１       1        -38.88
２       3          4.55
３       6         -8.18
４       8          3.54
５      10         -3.29
各条件式に対応する値を以下に示す。
【００６０】
ｆＲ／ｆ＝−２．２９
（Ｒ３＋Ｒ４）／（Ｒ３−Ｒ４）＝−１．０８
ν３＝２３
Ｌ／２Ｙ＝１．０８
図１７は実施例９の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１８は実施例９の撮像レンズの収差図（球面収差、非点収差、歪曲収差）である。
（実施例１０）
全体諸元を以下に示す。
【００６１】
ｆ＝５．４３ｍｍ
ｆＢ＝０．３５ｍｍ
Ｆ＝２．０
２Ｙ＝７．０ｍｍ
ＥＮＴＰ＝１．２５ｍｍ
ＥＸＴＰ＝−３．６７ｍｍ
Ｈ１＝−０．６４ｍｍ
Ｈ２＝−５．０８ｍｍ
面データを以下に示す。
面番号        Ｒ(mm)      Ｄ(mm)      Ｎｄ      νｄ    有効半径(mm)
１＊       -16.757       0.50      1.6320      23        2.16
２＊       -24.886       0.05                            1.94
３＊         3.072       1.09      1.6935      53        1.68
４＊        18.012       0.13                            1.35
５（絞り）    ∞         0.88                            1.20
６＊        -2.222       0.50      1.6320      23        1.33
７＊        -5.179       0.06                            1.65
８＊         8.677       2.10      1.5447      56        1.95
９＊        -2.050       0.90                            2.24
10＊        -4.476      0.50      1.5305      56        2.37
11＊         3.374      0.80                            2.99
12            ∞         0.15      1.5163      64        3.30
13            ∞                                         3.34
なお、第１レンズ、第３レンズ、第４レンズ、及び第５レンズはプラスチック材料から形成され、第２レンズはガラス材料から形成されている。
【００６２】
非球面係数を以下に示す。
第１面
K=-0.30000E+02,A4=0.53809E-03,A6=-0.26388E-03,A8=0.24056E-03,A10=-0.18206E-04
第２面
K=-0.30000E+02,A4=0.20833E-03,A6=0.12177E-02,A8=-0.10064E-03,A10=0.55035E-04
第３面
K=0.33706E-01,A4=-0.73294E-03,A6=0.26347E-03,A8=0.13289E-03,A10=-0.38927E-04
第４面
K=-0.10776E+02,A4=-0.31711E-02,A6=-0.20131E-02,A8=0.19016E-04
第６面
K=0.82395E+00,A4=0.44104E-01,A6=-0.41231E-02,A8=0.15883E-02
第７面
K=-0.24732E+02,A4=0.93014E-02,A6=0.47740E-02,A8=0.57408E-03,A10=-0.34416E-03
第８面
K=-0.30000E+02,A4=-0.60778E-02,A6=0.39277E-04,A8=0.69070E-03,A10=-0.91943E-04
第９面
K=-0.41979E+01,A4=-0.31966E-01,A6=0.52741E-02,A8=-0.94238E-03,A10=0.42529E-04,
A12=0.57482E-05
第１０面
K=0.11792E+01,A4=-0.22626E-01,A6=0.10334E-02,A8=0.57284E-03,A10=-0.92824E-04,
A12=0.53114E-05
第１１面
K=-0.97445E+01,A4=-0.21153E-01,A6=0.32165E-02,A8=-0.34458E-03,A10=0.19198E-04,
A12=-0.40183E-06
単レンズデータを以下に示す。
レンズ    始面    焦点距離(mm)
１       1        -83.15
２       3          5.19
３       6         -6.56
４       8          3.27
５      10         -3.55
各条件式に対応する値を以下に示す。
【００６３】
ｆＲ／ｆ＝−６．０１
（Ｒ３＋Ｒ４）／（Ｒ３−Ｒ４）＝−１．４１
ν３＝２３
Ｌ／２Ｙ＝１．１４
図１９は実施例１０の撮像レンズの断面図である。図中、ＧＦは前群、ＧＲは後群、Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２０は実施例１０の撮像レンズの収差図（球面収差、非点収差、歪曲収差）である。
【００６４】
ここで、プラスチック材料は温度変化時の屈折率変化が大きいため、第１レンズから第５レンズの全てをプラスチックレンズで構成すると、周囲温度が変化した際に、撮像レンズ全系の像点位置が変動してしまうという問題を抱えてしまう。
【００６５】
そこで最近では、プラスチック材料中に無機微粒子を混合させ、プラスチック材料の温度変化を小さくできることが分かってきた。詳細に説明すると、一般に透明なプラスチック材料に微粒子を混合させると、光の散乱が生じ透過率が低下するため、光学材料として使用することは困難であったが、微粒子の大きさを透過光束の波長より小さくすることにより、散乱が実質的に発生しないようにできる。プラスチック材料は温度が上昇することにより屈折率が低下してしまうが、無機粒子は温度が上昇すると屈折率が上昇する。そこで、これらの温度依存性を利用して互いに打ち消しあうように作用させることにより、屈折率変化がほとんど生じないようにすることができる。具体的には、母材となるプラスチック材料に最大長が２０ナノメートル以下の無機粒子を分散させることにより、屈折率の温度依存性の極めて低いプラスチック材料となる。例えば、アクリルに酸化ニオブ（Ｎｂ２Ｏ５）の微粒子を分散させることで、温度変化による屈折率変化を小さくすることができる。
【００６６】
本発明において、比較的屈折力の大きな正レンズ（Ｌ２）、または全てのレンズ（Ｌ１〜Ｌ５）に、このような無機粒子を分散させたプラスチック材料を用いることにより、撮像レンズ全系の温度変化時の像点位置変動を小さく抑えることが可能となる。
【図面の簡単な説明】
【００６７】
【図１】実施例１の撮像レンズの断面図である。
【図２】実施例１の撮像レンズの収差図である。
【図３】実施例２の撮像レンズの断面図である。
【図４】実施例２の撮像レンズの収差図である。
【図５】実施例３の撮像レンズの断面図である。
【図６】実施例３の撮像レンズの収差図である。
【図７】実施例４の撮像レンズの断面図である。
【図８】実施例４の撮像レンズの収差図である。
【図９】実施例５の撮像レンズの断面図である。
【図１０】実施例５の撮像レンズの収差図である。
【図１１】実施例６の撮像レンズの断面図である。
【図１２】実施例６の撮像レンズの収差図である。
【図１３】実施例７の撮像レンズの断面図である。
【図１４】実施例７の撮像レンズの収差図である。
【図１５】実施例８の撮像レンズの断面図である。
【図１６】実施例８の撮像レンズの収差図である。
【図１７】実施例９の撮像レンズの断面図である。
【図１８】実施例９の撮像レンズの収差図である。
【図１９】実施例１０の撮像レンズの断面図である。
【図２０】実施例１０の撮像レンズの収差図である。
【符号の説明】
【００６８】
ＧＦ  前群
ＧＲ  後群
Ｌ１  第１レンズ
Ｌ２  第２レンズ
Ｌ３  第３レンズ
Ｌ４  第４レンズ
Ｌ５  第５レンズ
Ｓ  開口絞り
Ｉ  撮像面
Ｆ  平行平板
【図１】
2010008562.tif 000004
【図２】
2010008562.tif 000005
【図３】
2010008562.tif 000006
【図４】
2010008562.tif 000007
【図５】
2010008562.tif 000008
【図６】
2010008562.tif 000009
【図７】
2010008562.tif 000010
【図８】
2010008562.tif 000011
【図９】
2010008562.tif 000012
【図１０】
2010008562.tif 000013
【図１１】
2010008562.tif 000014
【図１２】
2010008562.tif 000015
【図１３】
2010008562.tif 000016
【図１４】
2010008562.tif 000017
【図１５】
2010008562.tif 000018
【図１６】
2010008562.tif 000019
【図１７】
2010008562.tif 000020
【図１８】
2010008562.tif 000021
【図１９】
2010008562.tif 000022
【図２０】
2010008562.tif 000023